(57)【特許請求の範囲】
【請求項１】
ホルダを備えた補強金具を巻着してなる陰極線管に取付けられる消磁コイルの取付け方法において、
前記消磁コイルによって囲まれる面積内に前記補強金具の長辺部が含まれ、かつ前記消磁コイルが前記ホルダに接し、更に前記消磁コイルの少なくとも一部が、前記陰極線管のネック方向にアノードボタンを越えて延在するように取付けられることを特徴とする消磁コイルの取付け方法。
【請求項２】
前記陰極線管の上下部において、前記陰極線管の管面方向に迫り出した突出縁部が形成された外部磁気シールド板を備え、
前記消磁コイルは、前記外部磁気シールド板の突出縁部を介して前記外部磁気シールド板の内側と外側の両方に跨がり、前記外部磁気シールド板を挟み込むように取付けられることを特徴とする請求項１記載の消磁コイルの取付け方法。
【請求項３】
ホルダを備えた補強金具を巻着してなる陰極線管と、前記陰極線管に取付けられる上下一対の消磁コイルと、外部磁気シールド板とを有するカラー映像受像機において、
前記外部磁気シールド板に、前記陰極線管の上下部において管面方向に迫り出した突出縁部を形成するとともに、
前記消磁コイルは、前記消磁コイルによって囲まれる面積内に前記補強金具の長辺部が含まれ、かつ前記消磁コイルが前記ホルダに接し、かつ前記消磁コイルの少なくとも一部が前記陰極線管のネック方向にアノードボタンを越えて延在し、更に前記外部磁気シールド板の突出縁部に跨がり、その後前記外部磁気シールド板に沿って延在するように取付けられていることを特徴とするカラー映像受像機。
【発明の詳細な説明】
【０００１】
【発明の属する技術分野】
本発明は、消磁コイルの取付け方法およびカラー映像受像機に関し、更に詳しくは、消磁コイルの取付け方法を改良して磁気シールド効率の向上を図った消磁コイルの取付け方法およびそれを用いたカラー映像受像機に関するものである。
【０００２】
【従来の技術】
近年、電子技術の発達やユーザニーズの高まりにより、電子機器の高性能化が進んでいる。例えばコンピュータディスプレイなどのカラー映像受像機においては、大画面化や高画質化が進行している。これらのカラー映像受像機に使用される陰極線管では、地磁気等の外部磁界の影響により電子ビームが正しく蛍光面に衝突しないために起こる色純度の変化を防止するため、外部磁気シールド板（以下、単に「ＯＭＳ」と略記する）や消磁コイルが用いられる。
詳細は後述するが、この消磁コイルにより、ＯＭＳ、陰極線管内の内部磁気シールド板、色選別手段、および色選別手段の取付けられたフレームに交流減衰磁界を加えて磁化することにより、陰極線管の内部空間に反磁界を形成してシールド効果を高めている。
【０００３】
カラー映像受像機における従来の消磁コイルの取付け方法について図５を参照して説明する。図５は従来の技術による消磁コイルの取付け方法を示す図であり、（ａ）は消磁コイルの取付け状態を示す上面図、（ｂ）は消磁コイルおよび外部磁気シールド板の位置関係を示す斜視図である。
【０００４】
図５に示されるような陰極線管１のパネル外周部には、バルブの爆縮を防ぐ補強金具２が巻着して構成される。補強金具２の例えば四隅には、陰極線管１をベズル・キャビネット（図示省略）に取付けるためのホルダ３（図５における陰極線管上部のホルダを３ａ、３ｂとする）が一体的に設けられている。陰極線管１のファンネル部には高圧電圧を印加するアノードボタン４が形成されている。
そして、従来の技術による消磁コイル５は、補強金具２の上下部に図５（ｂ）のように配置され、更にその外側には外部磁気シールド板（ＯＭＳ）６が消磁コイル５の一部を覆うように配置されている。
【０００５】
消磁コイル５は、導体であるリード線を数回巻回して、陰極線管１の上部用および下部用として略長方形状としてフォーミング（整形）され、全周にわたって電気絶縁用テープを巻き付けて形成される。上部用および下部用の消磁コイル５は、図示を省略したリード線により直列に接続され、カラー映像受像機の電源投入時には電気回路から上記リード線を介して所定の消磁電流（減衰振動電流）を印加することにより、色選別手段等の磁性体の消磁を行うようになっている。
【０００６】
しかしながら、従来の技術による消磁コイル５は、図５に示すように、全長が短く（例えば２０インチの陰極線管で８５０ｍｍ程度）、消磁コイル５によって囲まれる面積Ｕが小さいため、詳細は後述するが、陰極線管１内の内部磁気シールド板、色選別手段、フレーム等の磁性体に充分な磁束を通すことが出来ず、陰極線管１の消磁効率が低いという問題がある。
【０００７】
また、消磁コイル５を覆うように配置された従来のＯＭＳ６は、図５（ｂ）に示されるように、管軸Ｖ方向の幅が均一で狭く、消磁コイル５全体を挟み込む構造にできないため、消磁コイル５の発生する磁束が充分にＯＭＳ６に流れず、陰極線管１の消磁効率が低いという問題がある。なお、消磁コイル５の何れか１方をＯＭＳ６の外側に配置するような構成においても、同様の理由で陰極線管１の消磁効率は低いものであった。
【０００８】
一方、特開昭６１−２８９７８７公報記載の「カラーテレビジョン受像機」には、磁気シールド板の内側と外側の両方にまたがって巻回された磁気キャンセルコイルを設置する方法が開示されているが、この方法は磁気キャンセルコイルを磁気シールド板に沿って巻回させるものであり、本発明とは構成を異にするものである。また、特開平２−７６４９４公報記載の「カラー映像受像機」には、磁気キャンセルコイルを消磁コイルに併用する内容が開示されているが、このコイルの形状は陰極線管パネル部の外周に取付けるようになされた“リング形状”であり、本発明の“上下対向型”とは構成が異なるものである。
【０００９】
【発明が解決しようとする課題】
本発明はかかる観点に鑑みてなされたもので、その課題は、従来の消磁コイルの取付け方法およびカラー映像受像機における色選別手段等の磁性体の消磁効率の低さを改善し、効率の良い磁気キャンセル効果の得られる消磁コイルの取付け方法およびカラー映像受像機を提供することである。
【００１０】
【課題を解決するための手段】
かかる課題を解決するために本発明の消磁コイルの取付け方法は、ホルダを備えた補強金具を巻着してなる陰極線管に取付けられる消磁コイルの取付け方法において、
その消磁コイルによって囲まれる面積内に補強金具の長辺部が含まれ、かつ消磁コイルがホルダに接し、更に消磁コイルの少なくとも一部が陰極線管のネック方向にアノードボタンを越えて延在するように取付けられることを特徴とする。
【００１１】
また、好ましくは、陰極線管の上下部に陰極線管の管面方向に迫り出した突出縁部が形成された外部磁気シールド板を更に備え、
消磁コイルは、外部磁気シールド板の突出縁部を介して外部磁気シールド板の内側と外側の両方にまたがり、外部磁気シールド板を挟み込むように取付けられることが望ましい。
これにより、消磁コイルが色選別手段等の磁性体に近接するとともに、消磁コイルが外部磁気シールド板を挟み込むようになるので、一定の消磁電流でより高い密度の磁束を色選別手段等の磁性体に供給することができ、陰極線管の磁気シールド効率の向上を図ることができる。
【００１２】
本発明のカラー映像受像機は、ホルダを備えた補強金具を巻着してなる陰極線管と、陰極線管に取付けられる上下一対の消磁コイルと、外部磁気シールド板とを有するカラー映像受像機において、
外部磁気シールド板に、陰極線管の上下部において管面方向に迫り出した突出縁部を形成するとともに、
消磁コイルは、消磁コイルによって囲まれる面積内に補強金具の長辺部が含まれ、かつ消磁コイルがホルダに接し、かつ消磁コイルの少なくとも一部が陰極線管のネック方向にアノードボタンを越えて延在し、更に外部磁気シールド板の突出縁部にまたがり、その後外部磁気シールド板に沿って延在するように取付けられていることを特徴とする。
これにより、例えば消磁コイル→外部磁気シールド板→フレームおよび色選別手段というループにより陰極線管内の磁性体に効率よく磁束を流せるようになり、地磁気ドリフト量が改善される。そのため、電子ビームがより正確に蛍光体に衝突するようになり、カラー映像受像機における色純度が改善される。
【００１３】
【発明の実施の形態】
以下、本発明の具体的な実施の形態につき添付図面を参照して説明する。
【００１４】
先ず、図１および図２を参照して本発明の消磁コイルの取付け方法の手順▲１▼を説明する。図１は本発明の消磁コイルの取付け方法を示す上面図であり、図２は消磁コイルと陰極線管内の磁性体との関係を示す上面図である。なお、従来技術で記載した事項と共通する部分には以降も同一参照符号を付し、それらの説明を一部省略する。
【００１５】
図１に示されるような陰極線管１のパネル外周部には補強金具２が巻設して構成される。補強金具２の例えば四隅にはホルダ３（陰極線管上部のホルダを３ａ、３ｂとする）が一体的に設けられている。陰極線管１のファンネル部には高圧電圧を印加するアノードボタン４が形成されている。
【００１６】
また、図２における陰極線管１の内部には、色選別手段７と、色選別手段７を保持するフレーム８が形成されている。陰極線管１の上下部（陰極線管管面の長辺方向）、左右部（陰極線管管面の短辺方向、後述する図４参照）には、フレーム８に近接して内部磁気シールド板（以下、単に「ＩＭＳ」と略記する）９が配設されている。なお、図２および図４に示したフレーム８およびＩＭＳ９は実際には陰極線管１の内部に形成されるものであるが、説明を容易にするため実線で示した。
【００１７】
再度図１に戻り、本発明の特徴事項たる消磁コイル１５は、陰極線管１に次のように配置される。すなわち、本発明の消磁コイル１５は、消磁コイル１５によって囲まれる面積Ｕ内に補強金具２の長辺部が含まれ、かつ消磁コイル５が補強金具２に設けられた左右ホルダ３ａ、３ｂに接し、更に消磁コイル１５後方（ネック方向）の少なくとも一部が、管軸Ｖとアノードボタン４を含んで直交する基線Ｗを越えて延在するように配置される。
【００１８】
これにより、消磁コイル１５は、図２に示すように、陰極線管１内の磁性体（色選別手段７、フレーム８、ＩＭＳ９）を取り囲むことができ、その結果、これら磁性体に充分な磁束を通過させることができ、陰極線管１の磁気シールド効率を向上することができる。なお、消磁コイル１５は陰極線管１の下部にも同様に設置されているが、上部と対称的に形成されているものとしてその説明を省略する。
【００１９】
次に、図３および図４を参照して本発明の消磁コイルの取付け方法の手順▲２▼を説明する。図３は本発明の消磁コイルの取付け方法における消磁コイルと外部磁気シールド板の位置関係を示す斜視図であり、図４は本発明の消磁コイルの取付け方法による磁束の流れを示す側面図である。
【００２０】
本発明の一方の特徴事項たる外部磁気シールド板（ＯＭＳ）１６は、次のように構成される。すなわち、本発明のＯＭＳ１６は、図３に示すように、陰極線管の上下部（陰極線管の長辺方向側）において、陰極線管の管面方向に迫り出した突出縁部１０が形成されている。そして、消磁コイル１５は、ＯＭＳ１６の上下部に設けられた突出縁部１０の外側にまたがり、その後ＯＭＳ１６の内面に沿って延在するように取付けられる。このように、消磁コイル１５を本発明ＯＭＳ１６の内側と外側の両方にまたがり、ＯＭＳ１６の突出縁部１０を挟み込むように配置することにより、消磁コイル１５より発生した磁束を充分ＯＭＳ１６に通すことが可能となる。なお、消磁コイル１５は、ＯＭＳ１６の突出縁部１０の内側にまたがり、その後ＯＭＳ１６の外側に沿って延在するように取付けても良い。更に、図４に示すように形成されたＩＭＳ９→ＯＭＳ１６→フレーム８→色選別手段７というループＺにより陰極線管１内の磁性体に効率よく磁束を流せるようになる。
【００２１】
引き続き、本発明の消磁コイルの取付け方法による効果を確認するための実験２例につき、順次説明する。
【００２２】
先ず、表１を参照して実験１を説明する。表１は管面方向に迫り出した突出縁部１０が形成されたＯＭＳ１６に、消磁コイル１５を、ＯＭＳ１６の突出縁部１０の外側にまたがり、その後ＯＭＳ１６の内面に沿って延在するように取付ける構成とした時のＩＭＳ９およびＯＭＳ１６内の磁束密度の変化を示す。この実験は、ＩＭＳ９およびＯＭＳ１６に検出コイルを巻回し、出力電圧を積分器を介してオシロスコープで測定する方法にて行った。本発明を実施前のＩＭＳ９を通過する磁束密度を基準（＝１）とし、各相対値で示した。
【００２３】
【表１】
0003674198.tif 000002
【００２４】
表１から明らかなように、本発明を実施前に比して本発明を実施後のＯＭＳ１６により効率良く磁束が流れていることが知見される。このことは、消磁コイル１５をＯＭＳ１６の内側と外側の両方にまたがるように配置することにより、ＯＭＳ１６に効率良く磁束が流れていることを示すものである。
【００２５】
次に、表２を参照して実験２を説明する。表２は本発明による地磁気ドリフト量を測定したものであり、その測定は、例えば表２右図に示すように、磁界Ｈ中に陰極線管１を設置し、磁界Ｈに直交するＹ軸を中心に３６０°回転する（実際には磁場を回転する）ことにより、地磁気ドリフト量を測定する従来公知の方法にて行った。
【００２６】
ここで、地磁気ドリフト量とは、カラー陰極線管を地磁気存在する場所（本実施例の地磁気水平成分は略３０μＴ（テスラ））で東西南北を含む３６０°方角へ向け設置したとき（消磁は方角変更毎に行う）の電子ビームの水平方向最大移動量(Peak to Peak 値) であり、この値が小さい程、陰極線管１の磁気シールド効果が高いと言える。その測定結果を表２に示す。なお、この実施例では、消磁コイル全長１１００ｍｍ（従来８５０ｍｍ）、片側１００ターン（従来と同じ）とし、突入電流は共に２０ＡP-P で比較した。また、表２には、同様にして測定した従来の消磁コイル、手順▲１▼の消磁コイルのみ延長した場合、および手順▲２▼の消磁コイルをＯＭＳ挟み込んだ場合についてもあわせて掲載している。
【００２７】
【表２】
0003674198.tif 000003
【００２８】
表２において、地磁気ドリフト量の単位は〔μｍ P-P〕である。表２に示されたＹ軸端の地磁気ドリフト量は、Ｙ軸上２、５の平均ドリフト量であり、コーナのドリフト量は、各々コーナ１、３、４、６の平均ドリフト量である。表２から明らかなように、本発明の消磁コイルのみ延長の場合、Ｙ軸端では従来の３４に比べ２７と７μｍ P-Pシールド効果が改善され、コーナでは５μｍ P-Pシールド効果が改善されていることが判る。このように地磁気ドリフト量が改善されることにより、上述したように電子ビームがより正確に蛍光体に衝突するようになり、色純度が改善される。
【００２９】
本発明は前記実施の形態例に限定されず種々の実施形態を採ることができる。例えば、本実施の形態例ではコンピュータディスプレイに使用される陰極線管について例示したが、その他テレビジョン受像機に使用される一般的な陰極線管、或いはハイビジョン型やフルフラット型の陰極線管も含まれる。また、消磁コイルの形状について略凹型形状のものを例示したが、ループ状のものやその他形状にも応用可能であり、消磁コイルの形状に限定されるものではない。更に、本発明は本発明の要旨を逸脱することなく種々の構成を採りうることは言うまでもない。
【００３０】
【発明の効果】
以上説明したように、本発明の消磁コイルの取付け方法およびカラー映像受像機によれば、消磁コイルによって囲まれる面積内に補強金具の長辺部が含まれ、かつ消磁コイルが補強金具に設けられたホルダに接し、かつ消磁コイルの少なくとも一部が、陰極線管のネック方向にアノードボタンを越えて延在するように配設されている。更に消磁コイルは、外部磁気シールド板に形成された突出縁部にまたがり、その後外部磁気シールド板に沿って延在するように取付ける構成とした。これにより、一定の消磁電流でより高密度の磁束を色選別手段等の磁性体に供給することができ、陰極線管の磁気シールド効率の向上を図ることができる。また、陰極線管内の色選別手段等の磁性体に効率よく磁束を流せるようになるため、地磁気ドリフト量が改善され、電子ビームがより正確に蛍光体に衝突するようになって色純度の改善されたカラー映像受像機が実現される。
【図面の簡単な説明】
【図１】  本発明の消磁コイルの取付け方法を示す上面図である。
【図２】  消磁コイルと陰極線管内の磁性体との関係を示す上面図である。
【図３】  本発明の消磁コイルの取付け方法における消磁コイルと外部磁気シールド板の位置関係を示す斜視図である。
【図４】  本発明の消磁コイルの取付け方法による磁束の流れを示す側面図である。
【図５】  従来の技術による消磁コイルの取付け方法を示す図であり、（ａ）は消磁コイルの取付け状態を示す上面図、（ｂ）は消磁コイルおよび外部磁気シールド板の位置関係を示す斜視図である。
【符号の説明】
１……陰極線管、２……補強金具、３ａ，３ｂ……ホルダ、４……アノードボタン、５，１５……消磁コイル、６，１６……外部磁気シールド板（ＯＭＳ）、７……色選別手段、８……フレーム、９……内部磁気シールド板（ＩＭＳ）、１０……突出縁部
【図１】
0003674198.tif 000004
【図２】
0003674198.tif 000005
【図３】
0003674198.tif 000006
【図４】
0003674198.tif 000007
【図５】
0003674198.tif 000008